(57)【要約】  【課題】小開閉蓋を簡易迅速に容器本体上の蓋体部に配置し、非ポップアップ型ワイパーを可及的迅速に容器本体から掴んで取出し、容器の気密を維持する。  【解決手段】合成樹脂製の非ポップアップ型ワイパー収納ストッカー１の蓋体部２の一側縁近傍にピン孔４を形成し、他方、先割れピン状の固着部材、回動ヒンジ部６及び平板部７を順次一体に成形した小開閉蓋３の前記先割れピン状の固着部材を、前記ピン孔４に挿入して小開閉蓋３を蓋体部２に配置する。斯くて、簡単に小開閉蓋３を蓋体部２に配置することができると共に、蓋体部２に前記ピン孔４側の縁方向に中心を偏在させてワイパー取出し口たる円孔８を開穿して、ワイパーを使用する作業員が、ピンセット又は手で迅速にワイパーの先端部を掴み取ることができるようにしている。【選択図】図１
2008162637.tif 000002
【特許請求の範囲】
【請求項１】
ウェット若しくはドライ型の方形のタオルタイプのワイパーを収納する方形に成形された容器本体と該容器本体の上部を覆う蓋体部からなる合成樹脂製の非ポップアップ型ワイパー収納ストッカーに於いて、
前記蓋体部の一側縁近傍にピン孔を形成し、他方、先割れピン状の固着部材、回動ヒンジ部及び開閉ウィングを順次一体に成形した小開閉蓋の前記先割れピン状の固着部材を、前記ピン孔に挿入して該小開閉蓋を前記蓋体部に配置してなり、且つ、該蓋体部にはワイパー取出し用の円孔を該円孔の中心が前記ピン孔側の縁方向に偏在せしめて開穿すると共に、該円孔周囲の平面部に方形に立上がる壁部及び該壁部の上縁に形成された段部、並びに、上記小開閉蓋の裏面に形成された環状突起部及び該環状突起部外周に形成された気密保持部とによって気密部を構成してなり、前記壁部及び該壁部の段部に、前記環状突起部及び該環状突起部の気密保持部を夫々気密に嵌合接触して閉蓋してなることを特徴とする非ポップアップ型ワイパー収納ストッカー。
【請求項２】
上記容器本体及び／又は蓋体部並びに小開閉蓋は、透明若しくは半透明のポリスチレン、ポリエチレン、ポリプロピレン等の熱可塑性合成樹脂製であることを特徴とする請求項１記載の非ポップアップ型ワイパー収納ストッカー。
【請求項３】
上記ワイパー取出し用の円孔は、直径が７０ｍｍ乃至１２０ｍｍであることを特徴とする請求項１又は２記載の非ポップアップ型ワイパー収納ストッカー。
【発明の詳細な説明】
【技術分野】
【０００１】
本発明は、非ポップアップ型ワイパー収納ストッカーに関するものであり、特に、小開閉蓋を簡単に蓋体部に配置することができるとともに、ワイパーの取出しを容易にするためにワイパー取出し用の円孔を該円孔の中心が蓋体部中央よりヒンジ部を取付けるピン孔側の縁方向に偏在させて開穿し、該円孔を開閉蓋で気密に保持する非ポップアップ型ワイパー収納ストッカーに関するものである。
【背景技術】
【０００２】
従来から、産業界各般におけるワイピング業務用の各種ワイパーを供用するために非ポップアップ型のワイパー収納ストッカーが提唱されている。
【０００３】
そして、従来の非ポップアップ型のワイパー収納ストッカーに於いては、容器本体の口部に小開閉蓋を取付けるための口板が接合一体化されており、且つ、容器本体からワイパーを取出すための取出口は、ワイパー収納容器本体の中心に位置して形成されている（「特許文献１」［図２］に開示の態様）。
【特許文献１】特開２０００−１０２４９３号公報
【発明の開示】
【発明が解決しようとする課題】
【０００４】
上記特許文献１に開示のワイパー収納ストッカーにおいては、容器本体の上方の開口部に開閉蓋たる蓋板５を取付けるための口板３は超音波溶着等の接合一体化手段を講じており、容器本体の天井板部に形成された口部２は該容器本体の略中央部に形成されており、該口部２に前記口板３の取出口４を合わせて連結している（特許文献１の［図２、図３］に開示の内容、段落０００９に記載の事項）。
【０００５】
斯かるワイパー取出口においては、容器本体に開閉蓋を取付ける工程が煩雑であり、又、非ポップアップ型のワイパーを作業員が手袋を介して、若しくは手袋を装着した作業員がピンセットを介してワイパーを取出すのに不便であり、とりわけ、４枚折りのタオルタイプのワイパーでは可及的にワイパーの先端を掴むと取出しに便宜であるところ、ワイパー取出口が真ん中に存在すると、作業能率が低下するという欠陥が生じてきた。
【０００６】
このような事情を反映して、簡単に小開閉蓋を容器本体に配置し、簡単な構成で非ポップアップ型のワイパーの取出しを円滑に達成するために解決すべき技術的課題が生じてきたのであり、本発明は該課題を解決することを目的とするものである。
【課題を解決するための手段】
【０００７】
本発明は、上記目的を達成するために提案されたものであり、請求項１記載の発明は、ウェット若しくはドライ型の方形のタオルタイプのワイパーを収納する方形に成形された容器本体と該容器本体の上部を覆う蓋体部からなる合成樹脂製の非ポップアップ型ワイパー収納ストッカーに於いて、
前記蓋体部の一側縁近傍にピン孔を形成し、他方、先割れピン状の固着部材、回動ヒンジ部及び開閉ウィングを順次一体に成形した小開閉蓋の前記先割れピン状の固着部材を、前記ピン孔に挿入して該小開閉蓋を前記蓋体部に配置してなり、且つ、該蓋体部にはワイパー取出し用の円孔を該円孔の中心が前記ピン孔側の縁方向に偏在せしめて開穿すると共に、該円孔周囲の平面部に方形に立上がる壁部及び該壁部の上縁に形成された段部、並びに、上記小開閉蓋の裏面に形成された環状突起部及び該環状突起部外周に形成された気密保持部とによって気密部を構成してなり、前記壁部及び該壁部の段部に、前記環状突起部
及び該環状突起部の気密保持部を夫々気密に嵌合接触して閉蓋してなる非ポップアップ型ワイパー収納ストッカーを提供するものである。
【０００８】
この構成によれば、容器本体に対する小開閉蓋の配置を容易に行なうことができると共に、ワイパーを取出すため円孔が蓋体部のピン孔側の縁方向に偏在しているのでワイパーを掴む際に便宜がもたらされる。
【０００９】
更に、この請求項１記載の発明の構成によれば、該円孔周囲の平面部に方形に立上がる壁部及び該壁部の上縁に形成された段部、並びに、上記平板部の裏面に形成された環状突起部及び該環状突起部外周に形成された気密保持部とによって気密部を構成してなり、前記壁部及び該壁部の段部に、前記環状突起部及び該環状突起部の気密保持部を夫々気密に嵌合接触して閉蓋するから、ワイパーの取出し用口である円孔を、気密に閉蓋することができる。
【００１０】
更に、請求項２記載の発明は、上記容器本体及び／又は蓋体部並びに小開閉蓋は、透明若しくは半透明のポリスチレン、ポリエチレン、ポリプロピレン等の熱可塑性合成樹脂製である請求項１記載の非ポップアップ型ワイパー収納ストッカーを提供するものである。
【００１１】
この発明の構成によれば、容器本体の内容物の外的視認性を向上させることができる。
【００１２】
そして更に、請求項３記載の発明は、上記ワイパー取出し用の円孔は、直径が７０ｍｍ乃至１２０ｍｍである請求項１又は２記載の非ポップアップ型ワイパー収納ストッカーを提供するものである。
【００１３】
この構成によれば、非ポップアップ型ワイパーをストッカーから取出す便宜と収納ストッカー内でのワイパーの安定的収納との均衡を図ることができる。
【発明の効果】
【００１４】
請求項１記載の発明は、蓋体部の一側縁近傍にピン孔を形成し、他方、先割れピン状の固着部材、回動ヒンジ部及び平板部からなる小開閉蓋の前記先割れピン状の固着部材を、前記ピン孔に挿入して該小開閉蓋を蓋体部に配置してなり、該平板部は、回動ヒンジ部を介して前記先割れピン状の固着部材と一体に成形されているので、前記小開閉蓋を蓋体部に配置するにつき、先割れピン状の固着部材を前記ピン孔に挿入するのみで強固に嵌め込まれるので簡単な構成で確実に小開閉蓋を取り付けることができる。
【００１５】
また、前記蓋体部に前記ピン孔側の縁方向に中心を偏在させてワイパー取出し用の円孔を開穿したので、作業員がピンセットでワイパーを取り出す際に、四つ折りのワイパーの先端を容易に摘むことができるので、産業界各般におけるワイピング作業の作業効率を高めることができる。そして、四つ折りワイパーの取出し用の口が、円孔であるから、開口部位の面積を小さく抑えることができるのみならず、該円孔を上記小開閉蓋の平板部の環状突状部が気密部に嵌合して気密に塞ぐことに伴い、薬液の蒸発を抑制することができる等、ワイパーを安定した状態で収納ストッカー内に保全しておくことができる。
【００１６】
更に、請求項１記載の発明においては、円孔周囲の平面部に方形に立上がる壁部及び該壁部の上縁に形成された段部、並びに、前記小開閉蓋の裏面に形成された環状突起部及び該環状突起部外周に形成された気密保持部とによって気密部を構成してなり、前記壁部及び該壁部の段部に、前記環状突起部及び該環状突起部の気密保持部を夫々気密に嵌合接触して閉蓋したので、上述の効果に加えて、容器本体内に存在するワイパーの保存をより気密に保持することが可能であり、特に、ウェット型ワイパーにあっては、アルコール剤系の殺菌剤、消毒剤、除菌剤、洗浄剤等の揮発性成分の散逸を防止することができる。
【００１７】
請求項２記載の発明は、上記収納容器本体、蓋体部、小開閉蓋は、透明若しくは半透明のポリスチレン、ポリエチレン、ポリプロピレン等の熱可塑性合成樹脂製であるところ、前記請求項１記載の発明の効果に加えて、容器本体内のワイパーの残量を外から視認することができる。
【００１８】
又、ワイパー以外の異物が容器本体内に混入されたとしても、外部から容易に検知することができるので不慮の事故の発生を回避することができる。
【００１９】
更にまた、樹脂素材が熱可塑性樹脂であるので、容易に各種の塑性加工技術を駆使して容器や蓋を成形製造することが可能である。
【００２０】
請求項３記載の発明においては、ワイパー取出し用の円孔は、直径が７０ｍｍ乃至１２０ｍｍである請求項１又は２記載の非ポップアップ型ワイパー収納ストッカーであるので、前記請求項１又は２記載の発明の効果に加え、作業員がワイパーを取出すための適切な直径の寸法を提供し、且つ、収納中のワイパーが無用に空気にさらされることが無いように、過度の開口を抑制することができる。
【発明を実施するための最良の形態】
【００２１】
簡単に小開閉蓋を容器本体に配置し、簡単な構成で非ポップアップ型のワイパーの取出しを円滑に達成することを目的として、
ウェット若しくはドライ型の方形のタオルタイプのワイパーを収納する方形に成形された容器本体と該容器本体の上部を覆う蓋体部からなる合成樹脂製の非ポップアップ型ワイパー収納ストッカーに於いて、前記蓋体部の一側縁近傍にピン孔を形成し、他方、先割れピン状の固着部材、回動ヒンジ部及び平板部を順次一体に成形した小開閉蓋の前記先割れピン状の固着部材を、前記ピン孔に挿入して該小開閉蓋を前記蓋体部に配置してなり、且つ、該蓋体部にはワイパー取出し用の円孔を該円孔の中心が前記ピン孔側の縁方向に偏在せしめて開穿すると共に、該円孔を囲んで形成された気密部に前記小開閉蓋の裏面に形成された環状突起部を嵌合させて該円孔を気密に閉蓋することによって、ワイパー取出し円孔からワイパーを容易に掴み、取出すことを実現した。
【実施例１】
【００２２】
以下、本発明の好適な一実施例を図１〜図４（ｂ）に従って詳述する。図１は、本発明の容器本体１に蓋体部２を載置し、更に、該蓋体部２に小開閉蓋を配備した状態の上面図を示し、図２，３は、夫々図１Ａ−Ａ線，Ｂ−Ｂ線断面図を示す。図４（ａ）は、小開閉蓋の先割れピン状の固着部材が上方を向く状態に置いた小開閉蓋の上面図、図４（ｂ）は、同４（ａ）のＣ−Ｃ線断面図を示す。  図１，２，３において、１は容器本体であり、産業界各般におけるワイピング業務のニーズに対応して供給するためのウェット型若しくはドライ型のワイパー（図示省略）を収納するために合成樹脂で成形された容器の本体部をなすものある。尚、本実施例においては、使用に供するワイパーは、４つ折りのタオルタイプのものを対象としているが、それ以外のワイパーの使用を妨げるものではない。図において、２は、該容器本体１の上部に載置される蓋体部であって、容器本体１の側壁１ａと該蓋体部２の下向きフランジ２ａが夫々の係合段部（符号省略）を通じて密接に嵌合して前記容器本体１を気密に覆蓋している。
【００２３】
これ等の容器本体１及び／又は蓋体部２並びに小開閉蓋（後述）は、合成樹脂を素材とする塑性加工によって成形されるものであり、特に、ポリスチレン、ポリエチレン（ＰＥ）、ポリプロピレン（ＰＰ）等の透明若しくは半透明の熱可塑性の合成樹脂素材を使用することによって、容器本体１内の状況を外から視認することができ、使用上の便宜がもたらされる。更に、これ等熱可塑性樹脂は各種のモールド成形等を通じて塑性加工を容易に
実践することが可能であるので、製造工程上における諸種のメリットも併有する。
【００２４】
前記蓋体部２の一側縁近傍に、小開閉蓋３（詳細は後述）を取付けるためのピン孔４，４が設けられている。
【００２５】
図中、３は前述の如く小開閉蓋であり、該小開閉蓋３は、図４（ａ），図４（ｂ）において明瞭に示される如く、先割れピン状の固着部材５，５と回動ヒンジ部６と平板部７とで構成されている。これ等の先割れピン状の固着部材５，５、回動ヒンジ部６、平板部７は、順次合成樹脂で一体的に成形されて成るものである。
【００２６】
而して、前記小開閉蓋３は、その先割れピン状の固着部材５，５の弾力性のある割れピン状部５ａ，５ａ…（四つ割れ）を前記ピン孔４，４に挿入して固着を完了する。詰まり、前記先割れピン状の固着部５，５のピン状部５ａ，５ａ…は一旦ピン孔４，４に挿入されると、先端の抜け止め部５ｂ，５ｂ，…が上記ピン孔４，４の下端部に係止して容易に抜けがたい状態に固着されるものとなる。
【００２７】
前記平板部は、前述の如く、先割れピン状の固着部材５，５とは回動ヒンジ部６を介して連接されており、先割れピン状の固着部材５，５の先割れピン部５ａ，５ａ…の基板となる水平片部５ｃ，５ｃと前記回動ヒンジ部６との境界線６ａ，６ａが、主として、該回動ヒンジ部６の回動の要となって回動ヒンジ部６と共に回動自在に開閉作動をする。
【００２８】
本実施例では、図４ａ、図４ｂに示す如く、前記先割れピン状の固着部材５，５の先割れピン部５ａ，５ａ…は、平板部７の表面（上面）を向いて形成されており、前記先割れピン状の固着部材５，５をピン孔４，４を通じて蓋体部２に装着後、前記回動ヒンジ部６を介して、先割れピン状の固着部材５，５の頭越しに、平板部７をワイパー取出し口（円孔、詳細は後述）側に回動する。
【００２９】
換言すると、小開閉蓋３を前記蓋体部２に装着するには、前記先割れピン状の固着部材５，５の先割れピン部５ａ，５ａ…を蓋体部２のピン孔４，４に挿入したる後、先割れピン状の固着部材５，５の水平片部５ｃ，５ｃと前記回動ヒンジ部６との境界線６ａ，６ａが、主として回動の要となって、回動ヒンジ部６と共に平板部７を、ワイパー取出し用口である円孔側に揺動させることによって該平板部７にて前記円孔を塞ぐように取付ける。
【００３０】
前記平板部７は、裏面から下向きに形成される環状突起部７ａが設けられ、該環状突起部７ａの外周には気密保持部７ｂが形成されており、更に、前記回動ヒンジ部６と相対向する片の外周の中心部には平板部７の開閉操作を誘導するための把持部７ｃが形成されている。
【００３１】
図中、８はワイパーの取出し口である円孔を示し、この円孔８は、前記平板部７によって開閉される対象であるところの開口部となる。前記円孔８は、該円孔８の中心が上記容器本体１の中心、即ち、蓋体部２の中心よりも前記ピン孔４，４側の縁部に近寄らせて偏在している。即ち、容器本体１の中心よりもピン孔側の縁部に近寄らせて、該円孔８を蓋体部２に開穿している。これは、ワイピング作業に携わる作業員がワイパーを取出すにあたり、可及的に先方向のワイパーの縁部、即ち、先端をピンセット、若しくは手で掴み取り易い態様の位置関係を採用するためである。つまり、医療関連産業や食品関練産業では、作業員が手袋をはめて非ポップアップ型のワイパーを迅速に取出す必要があるが、その際、ピンセット等でワイパーを掴み取る、若しくは手袋を装着した手でワイパーを掴み取るためには、ワイパーの中央よりも先端を以って掴むことにより、ワイパー取出しの作業効率を向上させることができるものである。
【００３２】
本実施例に於いては、一例として、容器本体のＡ−Ａ方向の長さ、即ち、縦長が、２４１ｍｍの場合において、該容器本体の縦方向の中心から、２０ｍｍピン孔側々縁に近寄らせて円孔の中心を定めて実施している。勿論、この寸法に限定せられるべきではない。
【００３３】
而して、本実施例に於いては、ワイパーの取出し口である円孔８は、直径が７０ｍｍ乃至１２０ｍｍの範囲の寸法を採用するものとする。斯様にして、各種のワイピング作業において、作業員がワイパーの取出しを行なうために適切な範囲の寸法の度合を定め、他方に於いて、円孔を拡大し過ぎて、収納中のワイパーが無用に空気にさらされるという危惧を回避することができるという、均衡を図ることができる。
【００３４】
図中、９は上記円孔８の周囲の平面部であり、該平面部９から上面視方形をして立上る壁部１０が形成されている。該壁部１０はその内側が前記平板部７の裏面に形成された環状突起部７ａの外周壁が摺接することができるように形成されている。斯くして、上記平板部７を回動ヒンジ部６を介して、主として、回動の要６ａ，６ａを回動基点として揺動することによって、前記平板部７の環状突起部７ａが前記壁部１０に内接嵌合し気密保持を完成することとなる。前記壁部１０は、立上がりの上縁に段部１１が形成されており、前記壁部１０と該段部１１とによりワイパー取出し口（円孔）を閉蓋する際の気密部を構成している（詳細は次段落）。
【００３５】
図２、図３に示す如く、蓋体部２に開穿された円孔８の周囲の水平部９をさらに取り囲むように立上がって形成された壁部１０と前記平板部７の環状突起部７ａとが密接に嵌合され、殺菌、消毒、除菌、洗浄液等の薬液を浸潤させたウェット型ワイパーの薬効の劣化が防止されるものである。
【００３６】
更に、この実施例においては、図示のとおり、前記小開閉蓋の平板部７の環状突起部７ａの外周に気密保持部７ｂが形成されており、該気密保持部７ｂが前記蓋体部２の平面部９に立上がって形成されている壁部１０（気密部の構成部分）の上縁から外周に延びて形成された段部１１（気密部の構成部分）と面接触する形態で覆っており、より一層ウェット型ワイパーの揮発性分の散逸を防止する効果を奏することを期待することができる。
【００３７】
即ち、この実施例においては、上記立上った壁部１０の内周壁と上記平板部の裏面に形成された環状突起部７ａの外周壁面とが面接触し、更に、前記平板部７に形成された気密保持部７ｂと前記壁部１０の段部１１とが面接触することに伴い、二重の面接触が両々相俟って、より一層気密効果を向上させることができる。このようにして、本願発明においては、収納ストッカー内に収納されたワイパーが可及的に空気にさらされることを防止し、ワイパーの性能を温存しつつ、ワイピング作業を実践することが可能である。
【００３８】
小開閉蓋３の平板部７の開閉操作を行なうときに手を掛ける把持部７ｃは、気密に閉鎖された小開閉蓋の閉塞を蓋体部の気密部から解く等、小開閉蓋の平板部の開閉作動時に操作上の便宜を提供するものである。
【００３９】
なお、本発明は、上記実施例に限らず、本発明の基本精神を逸脱しない限り諸種の改変をなすことが可能であり、そして、本発明は該諸種改変されたものに及ぶことは当然である。
【図面の簡単な説明】
【００４０】
【図１】本発明の一実施例を示し、容器本体に蓋体部を載置し、且つ、該蓋体部に小開閉蓋を取付けた状態の上面図。
【図２】（ａ）は図１のＡ−Ａ線断面図、（ｂ）は把持部近傍の拡大断面図、（ｃ）は同先割れピン状固着部材近傍の拡大断面図。
【図３】（ａ）は図１のＢ−Ｂ線断面図、（ｂ）は気密部並びに環状突起部及び気密保持部の拡大断面図。
【図４】（ａ）は本発明の一実施例を示し、小開閉蓋の先割れピン状の固着部材が上方を向く状態に置いた小開閉蓋の上面図、（ｂ）は図４（ａ）のＣ−Ｃ線断面図。
【符号の説明】
【００４１】
１      容器本体
１ａ    容器本体の側壁
２      蓋体部
２ａ    蓋体部の下向きフランジ
３      小開閉蓋
４，４      ピン孔
５，５      先割れピン状の固着部材
５ａ，５ａ…    先割れピン部
５ｂ，５ｂ…    係止部
５ｃ，５ｃ    水平片部
６      回動ヒンジ部
６ａ，６ａ    回動の要（ヒンジの要）
７      平板部
７ａ    環状突起部（気密部の一部）
７ｂ    気密保持部（気密部の一部）
７ｃ    把持部
８      円孔（ワイパー取出し口）
９      平面部
１０    壁部（気密部の一部）
１１    段部（気密部の一部）
１２    気密部（平板部の７ａ、７ｂ並びに壁部１０、段部１１により構成）
【図１】
2008162637.tif 000003
【図２】
2008162637.tif 000004
【図３】
2008162637.tif 000005
【図４】
2008162637.tif 000006